(57)【要約】      （修正有）【課題】従来の魚卵及び稚魚の保護装置の利点を受け継ぎ、全体として、魚卵及び稚魚を新鮮水環境のもとで容易に安全に保護することができる魚卵及び稚魚の保護装置を提供する。【解決手段】産卵ボックス１と、産卵ボックス１を挿入装着可能の魚卵及び稚魚保護のための保護囲い２と、水槽１００に保護装置を取り付けるための取付け具３とを含む魚卵及び稚魚の保護装置であり、産卵ボックス１は、通水孔及び保護囲い２へ魚卵通過用孔を有している。又、保護囲い２は、稚魚通過阻止用ネット２４を主体とする通水性周壁と該周壁に囲まれた領域の下端部を閉じる底板２２とを含んでいる。【選択図】図５
2011115081.tif 000002
【特許請求の範囲】
【請求項１】
親魚の産卵に用いる産卵ボックスと、該産卵ボックスを挿入装着可能の魚卵及び稚魚保護のための保護囲いとを含み、該産卵ボックスは、前記親魚の通過は許さないが水通過を許す通水孔を有しているとともに、該通水孔以外に、前記親魚の通過は許さないが前記保護囲いへ魚卵を通過落下させるための魚卵通過用孔を有しており、前記保護囲いは、稚魚通過阻止用ネットを主体とする通水性周壁と該周壁に囲まれた領域の下端部を閉じる底板とを含んでいることを特徴とする魚卵及び稚魚の保護装置。
【請求項２】
前記保護囲いは、前記産卵ボックスを装着可能の上枠と、前記底板と、該上枠と底板とを連結する柱部とを含んでおり、前記通水性周壁は、少なくとも該上枠から底板まで張設された前記稚魚通過阻止用ネットを含むものである請求項１記載の魚卵及び稚魚の保護装置。
【請求項３】
前記産卵ボックスは、前記魚卵通過用孔として底部に魚卵通過用スリットを有しており、前記通水孔は該魚卵通過用スリットより上側の産卵ボックス部分に形成されており、産卵ボックス下部の周壁内面が該魚卵通過用スリットへ向かって下り傾斜している請求項１又は２記載の魚卵及び稚魚の保護装置。
【請求項４】
観賞魚用水槽に取り付けるための取付け具を備えている請求項１、２又は３記載の魚卵及び稚魚の保護装置。
【請求項５】
前記取付け具は、前記保護囲いから上方へ立ち上がる屈曲変形可能の取付け具である請求項４記載の魚卵及び稚魚の保護装置。
【発明の詳細な説明】
【技術分野】
【０００１】
本発明は、観賞魚用水槽において魚類を観賞飼育するにあたり、親魚から産み出される卵や該卵から孵化した稚魚を、その親魚或いは他の魚の餌食になってしまわないように保護する魚卵及び稚魚の保護装置に関する。
【背景技術】
【０００２】
この種の従来の魚卵及び稚魚の保護装置としては、大別して次の２種類のものが知られている。
【０００３】
一つは、周壁及び該周壁で囲まれ領域の下端を閉じる底壁を含む壁部分を全体的に稚魚や魚卵の通過を阻止するための網目サイズのネットで構成したネットボックスタイプの保護装置である。
【０００４】
もう一つは、親魚の通過は許さないが通水可能の通水孔を有するもとともに親魚の通過は許さないが魚卵を通過落下させる魚卵通過用孔を有する産卵室と、その外側を囲む、通水孔を有するボックス部とを含む産卵ボックスタイプの保護装置である。
【０００５】
前者のネットボックスタイプの保護装置は、例えば、観賞魚用水槽の水中に略全体的に或いは上端部を残して沈め、水中に沈めた部分に、産卵しそうな親魚を入れて産卵、孵化させ、或いは保護装置外側で産みつけられた卵や孵化した稚魚を捕獲して入れ、それら卵や稚魚を保護しようとするものである。
【０００６】
後者の産卵ボックスタイプの保護装置は、例えば、観賞魚用水槽の水中に略全体的に或いは上端部を残して沈め、水中に沈めた産卵室の部分に産卵しそうな親魚を捕獲して入れ、その中で産卵させて産み出された卵を外側を囲む外側ボックス部へ落下移動させるとともに該外側ボックス部で孵化させて親魚や他の魚等から保護しようとするものである。
【０００７】
前者のネットボックスタイプの保護装置は例えば株式会社スドー発行の商品カタログ「2009 SUDO PET PRODUCTS CATALOGUE」の２７頁に「新・産卵飼育ネット」として記載されており、また、ジエックス株式会社発行のカタログ「2009  アクアリウム用品カタログ」６５頁に「産卵ネット」として記載されている。
【０００８】
後者の産卵ボックスタイプの保護装置は例えば株式会社スドー発行の前記カタログの２７頁に「産卵箱」として記載されており、また、株式会社マルカン  ニッソー事業部発行のカタログ「2009  NISSO PRODUCTS CATALOG  アクアリウム総合カタログ」の７８頁に「産卵箱」として記載されている。
【先行技術文献】
【非特許文献】
【０００９】
【非特許文献１】株式会社スドー発行の商品カタログ「2009 SUDO PET PRODUCTS CATALOGUE」
【非特許文献２】ジエックス株式会社発行のカタログ「2009  アクアリウム用品カタログ」
【非特許文献３】株式会社マルカン  ニッソー事業部発行のカタログ「2009  NISSO PRODUCTS CATALOG  アクアリウム総合カタログ」
【発明の概要】
【発明が解決しようとする課題】
【００１０】
ネットボックスタイプの保護装置では、保護装置内に対する水の流動性を比較的良好に保つことができ、それだけ保護装置内の水を新鮮に維持でき、また、比較的安価に提供できる利点がある。
【００１１】
しかし、該保護装置内へ親魚を入れて産卵させる場合、産み出された卵やそれから孵化した稚魚が親魚に食べられてしまう恐れがある。また、該保護装置の外側の水槽内域で産みつけられた卵や孵化した稚魚を捕獲して保護装置に移しかえる場合、その作業は、産卵や孵化のタイミングを見計らって行わなければならず、手間を要するし、そのタイミングを外すと、卵や稚魚が親魚や他の魚等に食べられてしまう恐れがある。
【００１２】
さらに、卵や稚魚を保護装置内で保護しても、通常、ネットは変形容易なものが採用されているから、ネットの外側から卵や稚魚が大型魚などにより危害を加えられる恐れがあり、とりわけ、保護装置底部を形成しているネット部分へ沈んだ卵が該ネット部分外側から大型魚などにより危害を加えられる恐れがある。
【００１３】
一方、産卵ボックスタイプの保護装置では、親魚は産卵室に入れ、卵や稚魚はその外側のボックス部で保護するので、卵や稚魚が親魚に食べられてしまう恐れはない。また、外側ボックス部は通常、合成樹脂板から丈夫に作られているので、ボックス部の外側からその中の卵や稚魚が大型魚等に危害を加えられる恐れはない。
【００１４】
しかしながら、産卵室や外側ボックス部は通常、合成樹脂等により丈夫に作られるのでネットボックスタイプの保護装置と比べると高価なものとなる。
【００１５】
また、産卵室壁や外側ボックス部の壁に通水孔が形成されているものの、通常それらは、製作費の抑制や強度保持の観点から部分的に形成されているだけであり、ネットボックスタイプの保護装置と比べると保護装置内外間の水の流動性が悪く、ネットボックスタイプの保護装置と比べると親魚、卵及び稚魚に新鮮な水を供給し難い。
【００１６】
このような問題を解決しようとして通水孔を大きいものにすると、稚魚がその孔から外側へ逃げ、稚魚を保護し難くなる。
【００１７】
そこで本発明は、従来のネットボックスタイプの保護装置の利点及び従来の産卵ボックスタイプの保護装置の利点をそれぞれ受け継ぎ、全体として、魚卵及び稚魚を新鮮水環境のもとで容易に安全に保護することができる魚卵及び稚魚の保護装置を提供することを課題とする。
【課題を解決するための手段】
【００１８】
本発明は前記課題を解決するため、
親魚の産卵に用いる産卵ボックスと、該産卵ボックスを挿入装着可能の魚卵及び稚魚保護のための保護囲いとを含み、該産卵ボックスは、前記親魚の通過は許さないが水通過を許す通水孔を有しているとともに、該通水孔以外に、前記親魚の通過は許さないが前記保護囲いへ魚卵を通過落下させるための魚卵通過用孔を有しており、前記保護囲いは、稚魚通過阻止用ネットを主体とする通水性周壁と該周壁に囲まれた領域の下端部を閉じる底板とを含んでいる魚卵及び稚魚の保護装置を提供する。
【００１９】
本発明に係る魚卵及び稚魚の保護装置は、例えば、観賞魚用水槽の上枠等に取り付け、産卵ボックス及びその外側の保護囲いのそれぞれを略全体的に、或いはそれらの上部の一部を残す等して水槽水中に沈めて用いる。
【００２０】
そのように水槽にセットした状態で、産卵が近づいた、或いは産卵しそうな親魚を産卵ボックスに入れ、産み出された卵は産卵ボックスの魚卵通過用孔から外側の保護囲い内へ通過落下させる。このように保護囲いに移行した卵やそれから孵化した稚魚は該保護囲い内で親魚から隔離された状態で保護される。また、保護囲いにより他の魚等からも保護される。
【００２１】
このとき、保護囲いの底板上に落下した卵やそこに集まった稚魚は、該底板に保護され、大型魚などによる底板下方からの危害から免れる。
【００２２】
このような魚卵や稚魚の保護は、産卵が近づいた、あるいは産卵しそうな親魚を予め産卵ボックスに収容しておくことで行えるから、それだけ魚卵や稚魚の保護を容易に行える。
【００２３】
本発明に係る保護装置では、保護囲いの周壁を構成しているネットの網目を通して保護囲いの内外間での水の流通があり、産卵ボックスについてはその通水孔を通して産卵ボックス内外間での水の流通があるから、全体として、保護装置内外間の水の流動が可能である。
【００２４】
このとき、保護囲いはその周壁がネットを主体とする通水性周壁であるから、従来の産卵ボックスタイプの保護装置のように外側ボックス部の通水孔の数等が限られている場合に比べると、保護囲いの内外間での水の流動性が良好であり、それだけ、保護囲い内の卵や稚魚を新鮮な水環境におくことができる。
【００２５】
また、保護囲いはその周壁がネットを主体とする通水性周壁であるから、従来の産卵ボックスタイプの保護装置のように外側ボックス部も合成樹脂等により丈夫に作られている場合と比べると、保護装置全体をそれだけ安価に提供することができる。
【００２６】
また、保護囲いの通水性周壁を構成しているネットは稚魚通過阻止用ネットであるから、稚魚が該ネットの網目から外側へ逃げて他の魚等の餌食になる恐れは少ない。
【００２７】
以上説明したように、本発明に係る魚卵及び稚魚の保護装置は、従来のネットボックスタイプの保護装置と比べると、魚卵及びそれから孵化する稚魚を親魚や他の魚から容易に、安全に保護でき、従来の産卵ボックスタイプの保護装置と比べると、魚卵や稚魚に対する水の流動性を良好にして、それだけ魚卵や稚魚を新鮮水環境におくことができ、また、従来の産卵ボックスタイプの保護装置と比べると稚魚が保護装置外側へ逃げだし難く、全体として、魚卵及び稚魚を新鮮水環境のもとで容易に安全に保護することができる。
【００２８】
本発明に係る保護装置における前記保護囲いとしては、簡単な構成のものとして、例えば、前記産卵ボックスを装着可能の上枠と、前記底板と、該上枠と底板とを連結する柱部とを含んでおり、前記通水性周壁は、少なくとも該上枠から底板まで延在するように張設された前記稚魚通過阻止用ネットを含むものである場合を挙げることができる。
【００２９】
前記産卵ボックスから保護囲いへ卵が移行しやすくするため、該産卵ボックスは、前記魚卵通過用孔として産卵ボックス底部に魚卵通過用スリットを有しているものを例示できる。また、前記通水孔を該魚卵通過用スリットより上側の産卵ボックス部分に有しているものを例示できる。また、産卵ボックス下部の周壁内面が該魚卵通過用スリットへ向かって下り傾斜しているものを例示できる。
【００３０】
本発明に係る保護装置は、観賞魚用水槽に取り付けるための取付け具を備えていてもよい。そのような取付け具として、例えば、各種サイズの水槽への対応が可能であるように、前記保護囲いから上方へ立ち上がる屈曲変形可能なもの（例えば屈曲可能の板金や針金等からなるもの）を例示できる。
【発明の効果】
【００３１】
以上説明したように本発明によると、従来のネットボックスタイプの保護装置の利点及び従来の産卵ボックスタイプの保護装置の利点をそれぞれ受け継ぎ、全体として、魚卵及び稚魚を新鮮水環境のもとで容易に安全に保護することができる魚卵及び稚魚の保護装置を提供することができる。
【図面の簡単な説明】
【００３２】
【図１】本発明に係る魚卵及び稚魚の保護装置の平面図である。
【図２】図１の保護装置の正面図である。
【図３】図１の保護装置の、周壁構成ネットを外した状態の正面図である。
【図４】図１のＸ−Ｘ線に沿う断面図である。
【図５】図１の保護装置の使用状態例を示す図である。
【発明を実施するための形態】
【００３３】
本発明の実施形態例を図面を参照して説明する。
図１は本発明に係る魚卵及び稚魚の保護装置の平面図であり、図２は図１の保護装置の正面図である。図３は図１の保護装置の、周壁構成ネットを外した状態の正面図である。図４は図１のＸ−Ｘ線に沿う断面図である。図５は図１の保護装置の使用状態例を示す図である。
【００３４】
図示の魚卵及び稚魚の保護装置１０は、
親魚Ｆ（図５参照）の産卵に用いる産卵ボックス１と、
産卵ボックス１を挿入装着可能の、魚卵ｅ及び稚魚ｆ（図５参照）保護のための保護囲い２と、
観賞魚用水槽１００（図５参照）に保護装置１０（産卵ボックス１及び保護囲い２）を取り付けるための一対の取付け具３と
を含んでいる。
【００３５】
産卵ボックス１は、平面から見ると概ね四角形状のフランジ状の上枠１１と、上枠１１から下方へ延びて後述する魚卵通過用孔１ａヘ収束する部分１２とを含んでいる。
【００３６】
上枠１１にはその長手方向の各辺部分から外へ向け一体的に突起片１１１が突出しており、短手方向の各辺部分から外へ向け一体的に突起片１１２が突出している。
【００３７】
これら突起片１１１、１１２は産卵ボックス１を後述するように保護囲い２ヘ挿入装着するためのものである。この点は後ほどさらに説明する。
【００３８】
産卵ボックス１の上枠１１から下へ延びた部分１２の下端には魚卵通過用孔１ａが形成されているが、該孔１ａは、親魚Ｆの通過は許さず、稚魚ｆの通過も許し難いが、保護囲い２へ魚卵の通過落下は許すものである。本例では幅約２．５ｍｍ、長さ約４８ｍｍ程度の横方向に長いスリット形状の孔である。
【００３９】
上枠１１から下へ延びた部分１２の下部の周壁１２１は、その内面を含め全体的に魚卵通過用孔１ａへ漏斗状に下り傾斜している。これにより産卵ボックス１内で産み出される魚卵ｅが孔１ａへ集まり、そこから保護囲い２へ落下し易くなっている。
【００４０】
上枠１１から下へ延びた部分１２の前記漏斗状周壁１２１の上端部からそれに連続する上側の周壁１２２にわたって通水孔１ｂが複数本形成されている。
通水孔１ｂは、親魚Ｆの通過は許さず、稚魚ｆの通過も許し難いが、水通過は許すものである。本例では幅約１ｍｍ、長さ約２４ｍｍ程度の上下方向に長いスリット形状の孔である。
【００４１】
保護囲い２は、産卵ボックス１を装着可能の四角形状の上枠２１と、上枠２１に下方から対向する底板２２と、上枠２１と底板２２とを連結する四隅の柱部２３とを含んでいる。保護囲い２はさらに、４本の柱部２３の外側に位置するとともに上枠２１から底板２２へ延在するように張設されたネット２４を含んでいる。
【００４２】
ネット２４は稚魚通過阻止用のネットであり、該ネットとしては、既述の従来のネットボックスタイプの保護装置で使用されている稚魚通過阻止用ネットを採用することができる。
【００４３】
保護囲い２の上枠２１には、図１に示すように、産卵ボックス１の上枠１１の突起片１１１、１１２を嵌めて位置決めするための凹段部２１１、２１２が形成されている。
【００４４】
産卵ボックス１は、保護囲い２の上枠２１の開口部から保護囲い２のネット２４及び底板２２で囲まれた空間（領域）へ挿入し、産卵ボックス上枠１１の突起片１１１、１１２を対応する保護囲い上枠２１の凹段部２１１、２１２に嵌め座らせることで、保護囲い２に挿入装着できる。図１〜図５はいずれもそのように産卵ボックス１を保護囲い２に挿入装着した状態を示している。
【００４５】
保護装置１０（産卵ボックス１及び保護囲い２）の取付け具３は、図２等に示すように、保護囲い２の上枠２１の長手方向の一方の辺部分に下端部が固定され、そこから上方へ立ち上がっている。本例で、取付け具３は、屈曲変形可能の金属板からなる、フック用部である。
【００４６】
例えば、各取付け具３をフック様に屈曲させて、図５に示すように観賞魚用水槽１００の上枠１０１に引っ掛けて、産卵ボックス１及び保護囲い２のそれぞれの略全体を、或いは図５のように上端部を残して略全体を水槽水Ｗ中へ沈めることかでき、この状態で保護装置１０を使用することができる。
【００４７】
保護装置１０は、例えば図５に示すように水槽１００にセットした状態で、産卵が近づいた、或いは産卵しそうな親魚Ｆを産卵ボックス１に入れ、産み出された卵ｅは産卵ボックス１の魚卵通過用孔１ａから外側の保護囲い２内へ通過落下させる。このように保護囲いに移行した卵ｅやそれから孵化した稚魚ｆは保護囲い２内で親魚Ｆから隔離された状態で保護される。また、保護囲い２により他の魚Ｆ’（図５参照）等からも保護される。
【００４８】
このとき、保護囲い２の底板２２上に落下した卵ｅやそこに集まった稚魚ｆは、底板２２に保護され、大型魚などにより底板下方からの危害を加えられることはない。
【００４９】
このような魚卵ｅや稚魚ｆの保護は、産卵が近づいた、あるいは産卵しそうな親魚Ｆを予め産卵ボックス１に収容しておくことで行えるから、それだけ魚卵ｅや稚魚ｆの保護を容易に行える。
【００５０】
また保護装置１０の保護囲い２の周壁を構成しているネット２４の網目を通して保護囲い２の内外間での水の流通があり、産卵ボックス１についてはその通水孔１ｂを通して産卵ボックス１内外間での水の流通があるから、全体として、保護装置１０内外間の水の流動が可能である。
【００５１】
このとき、保護囲い２はその周壁がネット２４を主体とする通水性周壁であるから、従来の産卵ボックスタイプの保護装置のように外側ボックス部の通水孔の数等が限られている場合に比べると、保護囲い２の内外間での水の流動性が良好であり、それだけ、保護囲い２内の卵ｅや稚魚ｆを新鮮な水環境におくことができる。
【００５２】
また、保護囲い２はその周壁がネット２４を主体とする通水性周壁であるから、従来の産卵ボックスタイプの保護装置のように外側ボックス部も合成樹脂等により丈夫に作られている場合と比べると、保護装置１０全体をそれだけ安価に提供することができる。
【００５３】
また、保護囲い２の通水性周壁を構成しているネット２４は稚魚通過阻止用ネットであるから、稚魚ｆが該ネットの網目から外側へ逃げて他の魚等の餌食になることは抑制されている。
【００５４】
このように保護装置１０は、従来のネットボックスタイプの保護装置と比べると、魚卵ｅ及びそれから孵化する稚魚ｆを親魚Ｆや他の魚Ｆ’から容易に、安全に保護でき、従来の産卵ボックスタイプの保護装置と比べると、魚卵ｅや稚魚ｆに対する水の流動性を良好にして、それだけ魚卵ｅや稚魚ｆを新鮮水環境におくことができ、また、従来の産卵ボックスタイプの保護装置と比べると稚魚ｆが保護装置１０外側へ逃げだし難く、全体として、魚卵ｅ及び稚魚ｆを新鮮水環境のもとで容易に安全に保護することができる。
【産業上の利用可能性】
【００５５】
本発明は、魚卵及び稚魚を保護する魚卵及び稚魚の保護装置を提供することに利用できる。
【符号の説明】
【００５６】
１０  魚卵及び稚魚の保護装置
１  産卵ボックス
１１  上枠
１１１、１１２  突起片
１２  上枠１１から下へ延びる部分
１２１  部分１２の下部周壁
１ａ  魚卵通過用孔
１ｂ  通水孔
２  保護囲い
２１  上枠
２１１、２１２  凹段部
２２  底板
２３  柱部
２４  稚魚通過阻止用ネット
３  取付け具
Ｆ  親魚
Ｆ’  他の魚
ｆ  稚魚
ｅ  魚卵
１００  観賞魚用水槽
１０１  水槽上枠
Ｗ  水槽内の水
【図１】
2011115081.tif 000003
【図２】
2011115081.tif 000004
【図３】
2011115081.tif 000005
【図４】
2011115081.tif 000006
【図５】
2011115081.tif 000007